(57)【要約】
【目的】　通常は、バッグ本体にコンパクトに収めておくことができ、必要なときに拡げて、バッグ本体の外部側に新たな収納部を構成することができ、しかもカメラの三脚や傘等を容易に収納することができるバッグに関する。
【構成】　バッグ本体５と、包持片１ａが略２つ折り状態に折畳み自在とした包持部１と、該包持部１の包持片１ａに装着された収納支持部２とからなること。前記包持部１の包持片１ａの略上半分は前記バッグ本体５の側面部５ａに装着されること。前記収納支持部２は拡げた状態で筒形状とし上下に開口部２ｂ1 ，２ｂ2 が設けられること。
【選択図】　　　図１
0003099610.tif 000002
【実用新案登録請求の範囲】
【請求項１】
バッグ本体と、包持片が略２つ折り状態に折畳み自在とした包持部と、該包持部の包持片に装着された収納支持部とからなり、前記包持部の包持片の略上半分は前記バッグ本体の側面部に装着され、前記収納支持部は拡げた状態で筒形状とし上下に開口部が設けられてなることを特徴とするバッグ。
【請求項２】
バッグ本体と、包持片が略２つ折り状態に折畳み自在とした包持部と、該包持部の包持片に装着された収納支持部とからなり、前記包持部の包持片の略上半分は前記バッグ本体の側面部に装着され、前記収納支持部は拡げた状態で筒形状とし上下に開口部が設けられ、該開口部の少なくとも一方側には締付部が設けられてなることを特徴とするバッグ。
【請求項３】
バッグ本体と、包持片が略２つ折り状態に折畳み自在とした包持部と、該包持部の包持片に装着された収納支持部とからなり、前記包持部の包持片の略上半分は前記バッグ本体の側面部に装着され、前記収納支持部には底部が形成され、収納支持部の開口部には締付部が設けられてなることを特徴とするバッグ。
【請求項４】
バッグ本体と、該バッグ本体の側面部にその一端が装着される包持片からなる包持部と、収納支持部とからなり、該収納支持部は前記包持片とバッグ本体の側面部に亘って接合され、且つ前記収納支持部は拡げた状態で筒形状とし上下に開口部が設けられ、且つ該開口部の少なくとも一方側には締付部が設けられてなることを特徴とするバッグ。
【考案の詳細な説明】
【技術分野】
【０００１】
　本考案は、通常は、バッグ本体にコンパクトに収めておくことができ、必要なときに拡げて、バッグ本体の外部側に新たな収納部を構成することができ、しかもカメラの三脚や傘等を容易に収納することができるバッグに関する。
【背景技術】
【０００２】
　従来より、かばんにサイドポケット等の第２の収納部が具備された種々のタイプのバッグが存在している。その多くのものは、比較的小物を収容することに適したものである。たとえば、特許文献１（実開平７−３３４７号）等に開示されているように、バッグ本体の外側にポケット状の第２の収納部が形成され、わざわざ、バッグを開かなくても、小物であれば、その第２の収納部に入れておくことができる。
【特許文献１】実開平７−３３４７号
【考案の開示】
【考案が解決しようとする課題】
【０００３】
　しかし、上記のようにバッグ本体にサイドポケット等の第２の収納部は、通常小物入れとして使用するものであり、大きな物を入れるには、まったく適していない。たとえば、最近では、バッグに多用途性が求められるものであり、サイドポケット等の第２の収納部であっても、比較的大きな物が収納される必要がある。たとえば、バッグにカメラ等を収納するときには、必要に応じて三脚も収納しておくことが必要であるが、この三脚がバッグ本体側に収納できないことが十分にありうる。さらに、傘等は、使用した後は、通常濡れているものであるために、バッグ本体内に収納することができないことが多い。本考案が解決しようとする課題（技術的課題又は目的）は、バッグ本体側に収納することができないような比較的大きな物或いは長尺な物、例えば前記カメラの三脚や、傘等を簡単且つ迅速で効率的に収納自在となる補助収納部を設け、且つ補助収納部の未使用時にはコンパクトな状態にすることにある。
【課題を解決するための手段】
【０００４】
　そこで、考案者は、上記課題を解決すべく、鋭意，研究を行った結果、本考案を、バッグ本体と、包持片が略２つ折り状態に折畳み自在とした包持部と、該包持部の包持片に装着された収納支持部とからなり、前記包持部の包持片の略上半分は前記バッグ本体の側面部に装着され、前記収納支持部は拡げた状態で筒形状とし上下に開口部が設けられてなるバッグとしたことにより、バッグ本体に具備された補助収納部によって、簡単且つ迅速で効率的に収納自在とし、しかも比較的大きな物或いは長尺なる物品を収納することができ、上記課題を解決した。
【０００５】
　また、バッグ本体と、包持片が略２つ折り状態に折畳み自在とした包持部と、該包持部の包持片に装着された収納支持部とからなり、前記包持部の包持片の略上半分は前記バッグ本体の側面部に装着され、前記収納支持部は拡げた状態で筒形状とし上下に開口部が設けられ、該開口部の少なくとも一方側には締付部が設けられてなるバッグとしたことにより、同様に上記課題を解決することができる。
【０００６】
　バッグ本体と、包持片が略２つ折り状態に折畳み自在とした包持部と、該包持部の包持片に装着された収納支持部とからなり、前記包持部の包持片の略上半分は前記バッグ本体の側面部に装着され、前記収納支持部には底部が形成され、収納支持部の開口部には締付部が設けられてなるバッグとしたことにより、同様に上記課題を解決することができる。　　　
【０００７】
　バッグ本体と、該バッグ本体の側面部にその一端が装着される包持片からなる包持部と、収納支持部とからなり、該収納支持部は前記包持片とバッグ本体の側面部に亘って接合され、且つ前記収納支持部は拡げた状態で筒形状とし上下に開口部が設けられ、且つ該開口部の少なくとも一方側には締付部が設けられてなるバッグとしたことにより同様に上記課題を解決することができる。
【考案の効果】
【０００８】
　請求項１の考案によれば、収納支持部は、比較的大きな物品或いは長尺な物品を収納する許容量を確保できる。請求項２の考案によれば、開口部の少なくとも一方側には締付部が設けられているので収納した物品を収納支持部内に固定することができる。請求項３の考案によれば、収納支持部には底部が形成されているのでペットボトル等を収納するのに好適である。請求項４の考案によれば、収納支持部は前記包持片とバッグ本体の側面部に亘って接合されており、補助収納部は、バッグ本体と略一体的に構成することができ、ひいては構造を簡単にすることができる。
【考案を実施するための最良の形態】
【０００９】
　以下、本考案の実施形態を図面に基づいて説明する。本考案は、図１（Ａ），（Ｂ）に示すように、主にバッグ本体５及び補助収納部Ａを構成する包持部１及び収納支持部２から構成され、さらに前記補助収納部Ａの収納支持部２には、必要に応じて締付部４が設けられる。その包持部１は、シート状の包持片１ａから構成される。その包持片１ａは、図１（Ａ）及び図３（Ａ），（Ｂ）等に示すように、上下方向に沿って略２つ折りの構造となっている。
【００１０】
　そして、その包持片１ａは、折畳みによりその一方は接合面部１ａ1 となっており、前記バッグ本体５の側面部５ａに接合されるものである。該側面部５ａは、具体的には、図１（Ａ）に示すように、前記バッグ本体５の幅方向両側に位置する側面である。しかし、その側面部５ａは、必ずしも前述した位置に限定されるものではなく、バッグ本体５の正面又は背面のいずれであってもかまわない。また、他方側は、カバー面部１ａ2 となっており、後述する収納支持部２を収納する役目をなす。
【００１１】
　その包持部１を構成する包持片１ａは、バッグ本体５の生地と同等の生地が使用されることが好適である。すなわち、包持部１を構成する生地は厚手のものが好適である。まず前記接合面部１ａ1 が前記バッグ本体５の側面部５ａに接合される。具体的には、接合面部１ａ1 がバッグ本体５の側面部５ａに縫い付けられるものである。そして、カバー面部１ａ2 は、前記接合面部１ａ1 に対して２つ折りの状態で、折畳みができるようになっている。そのカバー面部１ａ2 は、バッグ本体５の側面部５ａに対してその２つ折りとして折り返すことにより、その接合面部１ａ1 とカバー面部１ａ2 との間で収納支持部２を収容することができるようになっている〔図１（Ａ），図３（Ａ）参照〕。
【００１２】
　その包持部１において、カバー面部１ａ2 の２つ折りとした折り返し状態を維持するために、連結部３がバッグ本体５とカバー面部１ａ2 にそれぞれ設けられている。その連結部３は、複数のタイプが存在しており、具体的には、図１（Ａ），（Ｂ）に示すように、帯状に形成された帯状連結片３ａと連結ボタン３ｂとから構成される。その帯状連結片３ａは、カバー面部１ａ2 に装着され、また連結ボタン３ｂは、バッグ本体５の側面部５ａに装着されている。
【００１３】
　前記帯状連結片３ａには、前記連結ボタン３ｂが嵌合するための切込み３ａ1 が形成されており、該切込み３ａ1 に連結ボタン３ｂを挿入且つ嵌合するのみで固定することができるようになっている。さらに、その連結部３において、特に図示しないが、接合面部１ａ1 とカバー面部１ａ2 とがファスナー構造により着脱自在とする構造としたものが存在する。ファスナー構造としては、布ファスナーが使用されることもある。その包持部１の包持片１ａの周囲には、縁縫い部１ｃが設けられ、補強が行われている。
【００１４】
　次に、収納支持部２は、物品を収納する部位であり、図３（Ａ），（Ｂ）に示すように、前記包持部１の包持片１ａに装着され、その接合面部１ａ1 とカバー面部１ａ2 との折畳みによって、前記接合面部１ａ1 とカバー面部１ａ2 によって挟み込まれるようにして、適宜に畳まれて収容されるものである。その収納支持部２は、比較的柔軟な生地により形成されており、適宜に畳みやすいものとなっているが、丈夫な生地で耐久性のある構造にすることが好ましい。
【００１５】
　その収納支持部２は、主に収納本体部２ａから構成される。そして、該収納本体部２ａは、使用状態において、図１（Ｂ），図２（Ａ），図４（Ａ）等に示すように、略筒形状になる。その筒形状となる収納本体部２ａの開口は、上方側の開口部２ｂ1 と下方側の開口部２ｂ2 とからなり、両開口部２ｂ1 ，２ｂ2 により、上下方向に貫通したものである。その上方側の開口部２ｂ1 と下方側の開口部２ｂ2 の少なくとも一方側の開口周囲には、締付部４が設けられている。この締付部４によって、図４（Ｂ）に示すように、前記開口部２ｂ1 ，２ｂ2 の開口面積を狭めることができ、その収納支持部２に収納された物品を固定することができるようになっている。
【００１６】
　その締付部４は、実際には上下両開口部２ｂ1 ，２ｂ2 に装着されることが好ましい。また、締付部４の構造としては、図１（Ｂ），図２（Ａ）等に示すように、締付紐４ａと固定具４ｂとから構成されている。また前記収納支持部２の開口部２ｂ1 ，２ｂ2 には、紐通路２ｃが形成されており、該紐通路２ｃに前記締付紐４ａが挿通されている。また、収納支持部２の開口部２ｂ1 ，２ｂ2 の外方に面した部分には、締付調整孔２ｃ1 が形成されている。そして、前記紐通路２ｃ内の締付紐４ａが収納支持部２の幅方向の中央箇所から前記締付調整孔２ｃ1 を介して収納支持部２の外部に突出している。
【００１７】
　また、前記締付調整孔２ｃ1 の形成箇所にはの周囲には補強材２ｃ2 が設けられている。該補強材２ｃ2 は、締付調整孔２ｃ1 の周囲を補強するもので、適宜の厚さを有する略長方形状の材料であり、厚い布，革材，ビニル等の合成樹脂材等が好適である。この締付部４を収納支持部２に設けることで、上部の開口部２ｂ1 又は下部の開口部２ｂ2 の面積を適宜調整することができ、種々のサイズの物品の収納及び取り出し作業又はその収納された物品の固定等が極めて容易にできるものである。
【００１８】
　補助収納部Ａの収納支持部２は、使用状態において前述したように略筒形状に形成されているが、その筒形状の一部は前記包持部１の包持片１ａにより構成されることもある。実際には、収納支持部２を構成する生地が前記包持片１ａの折畳み内面側に層状態に設けられており、前記包持片１ａとともに収納支持部２の筒状部が形成されている。これによって前記収納支持部２の一部が包持部１の包持片１ａにより補強状態にて支持されるので、収納支持部２自体も強固で耐久性のあるものにできる。その収納支持部２には、図６に示すように、底部２ｄが形成されることもある。この底部２ｄを具備したことにより、収納支持部２は、ペットボトル等の容器を収納するのに好適なものとなる。
【００１９】
　次に、補助収納部Ａの構成する包持部１の別のタイプとして、図７（Ａ）に示すように、前記包持片１ａがカバー面部１ａ2 のみからなり、該カバー面部１ａ2 の一端部分がバッグ本体５の側面部５ａに固着され、前記カバー面部１ａ2 がバッグ本体５の側面部５ａに対して開閉自在となる構造としたものである。その包持片１ａには、前述の連結部３が具備されている。前記収納支持部２は、図７（Ｂ），（Ｃ）に示すように、前記包持片１ａとバッグ本体５の側面部５ａに亘って接合され、且つ前述したように、前記収納支持部２は、拡げた状態で筒形状となる。また同様に、その筒形状とした前記収納支持部２の上下端には、開口部２ｂ1 ，２ｂ2 が設けられており、且つ該開口部２ｂ1 ，２ｂ2 の少なくとも一方側には締付部４が設けられる。
【００２０】
　本考案は、図３乃至図４に示すように、まず補助収納部Ａにおける包持部１のカバー面部１ａ2 を連結部３を外すことにより、バッグ本体５の側面部５ａから開いてゆく。これによって、収納支持部２がカバー面部１ａ2 の開きとともに略筒状に形成される。この筒状とした収納支持部２に物品が収納され、前記締付部４を介して開口部２ｂ1 ，２ｂ2 を締め付けることにより、収納された物品をしっかりと固定することができる。また、補助収納部Ａには、図５（Ａ）のようにカメラの三脚を収納したり、或いは図５（Ｂ）に示すように、傘を収納することができる。
【００２１】
　その収納支持部２は、使用時には略筒状となるので、カメラの三脚又は傘等の長尺な物を収納するのに極めて迅速且つ容易に行うことができる。また、上下両開口部２ｂ1 ，２ｂ2 は、締付部４により締め付けることで、収納された物品を収納支持部２内に固定することができる。特に、収納支持部２が上下に貫通する筒状とすることで、物品の収納時には、上方の開口部２ｂ1 を開いておくことで収納動作を極めて簡単且つ迅速にできる。
【００２２】
　また、取り出すときには、下方の開口部２ｂ2 を開くことで物品の重量とともに下方に向かって取り出すことができる。これは傘等の取出及び収納が繰り返されるとき等に極めて好適である。すなわち収納支持部２が筒状に構成され、且つその上下両開口部２ｂ1 ，２ｂ2 を締付部４，４を介して締付自在とすることにより、収納支持部２の上下両開口部２ｂ1 ，２ｂ2 の何れからでも物品の収納が自在となり、しかも上下両開口部２ｂ1 ，２ｂ2 の何れからでも物品の取出しが自在となり、極めて迅速且つ簡単で、効率的な収納動作にすることができる。
【図面の簡単な説明】
【００２３】
【図１】（Ａ）は本考案の斜視図、（Ｂ）は本考案の収納支持部を開いた状態の要部斜視図である。
【図２】（Ａ）は本考案の要部の縦断側面図、（Ｂ）は（Ａ）のＸ−Ｘ矢視断面図である。
【図３】（Ａ）は本考案の要部正面図、（Ｂ）は収納支持部を開いている途中状態の要部正面図である。
【図４】（Ａ）は収納支持部を開いて筒状とした状態の要部正面図、（Ｂ）は収納支持部の上下両開口部の締付部を締め付けた状態の要部正面図である。
【図５】（Ａ）は収納支持部に三脚を収納した状態の要部正面図、（Ｂ）は収納支持部に傘を収納した状態の要部正面図である。
【図６】底部が具備された収納支持部にペットボトルが収納された状態の要部断面図である。
【図７】（Ａ）は本考案の別のタイプの斜視図、（Ｂ）は（Ａ）の収納支持部を開いた状態の要部斜視図、（Ｃ）は（Ａ）の収納支持部を開いた要部縦断側面図である。
【符号の説明】
【００２４】
１…包持部
１ａ…包持片
２…収納支持部
２ｂ1 …開口部
２ｂ2 …開口部
４…締付部
５…バッグ本体
【図１】
0003099610.tif 000003
【図２】
0003099610.tif 000004
【図３】
0003099610.tif 000005
【図４】
0003099610.tif 000006
【図５】
0003099610.tif 000007
【図６】
0003099610.tif 000008
【図７】
0003099610.tif 000009